(57)【要約】【課題】台風の際等に室内へ水が浸入するのを良好に防止できるログハウスの室内への水の浸入防止構造を提供する。【解決手段】横長のログ材１２の長手方向の所定の中間位置に切欠き部２２が凹設されるとともに該切欠き部２２によりログ材本体２４の断面サイズよりも小さい断面形状となってログ材どうしの交差連結部１４を構成するノッチ部１６が形成され、ログ材１２どうしをノッチ部で互いに嵌合させて交差連結させながら上下に積み重ねて壁面を構成するログハウスの室内への水の浸入防止構造であり、ログ材１２どうしの交差連結部１４を構成する各ログ材１２のノッチ部１６を上下方向に貫通する水抜き孔１８と、該ノッチ部１６の上面に、ログ材１２の長手方向に沿って又は長手方向に交差した方向に長く凹設されて該水抜き孔１８に連通する連通溝２０と、を備えたログハウスの室内への水の浸入防止構造１０から構成される。【選択図】図１
0003215048.tif 000002
【実用新案登録請求の範囲】
【請求項１】
横長のログ材の長手方向の所定の中間位置に切欠き部が凹設されるとともに該切欠き部によりログ材本体の断面サイズよりも小さい断面形状となってログ材どうしの交差連結部を構成するノッチ部が形成され、ログ材どうしをノッチ部で互いに嵌合させて交差連結させながら上下に積み重ねて壁面を構成するログハウスの室内への水の浸入防止構造であり、
ログ材どうしの交差連結部を構成する各ログ材のノッチ部を上下方向に貫通する水抜き孔と、
該ノッチ部の上面に、ログ材の長手方向に沿って又は長手方向に交差した方向に長く凹設されて該水抜き孔に連通する連通溝と、を備えたことを特徴とするログハウスの室内への水の浸入防止構造。
【請求項２】
ノッチ部の水抜き孔は、ノッチ部とその両側のログ材本体とのそれぞれの接続部に形成され、
連通溝は、ノッチ部の両側の水抜き孔どうしを連通するようにログ材の長手方向に沿って形成されたことを特徴とする請求項１記載のログハウスの室内への水の浸入防止構造。
【請求項３】
ログ材本体は、上段側のログ材と係合する上部に長手方向に沿って長く設けられた２つの凸条部と、
下段側のログ材と係合する下部に長手方向に沿って長く設けられ、下段側のログ材の凸条部に嵌合する２つの凹条部と、を有し、
さらに、ログ材本体の凸条部どうし間に対応した位置となるログ材本体の切欠き部に臨む面側に、ノッチ部の水抜き孔に連通するように上下方向に凹設された凹溝部が形成されたことを特徴とする請求項２記載のログハウスの室内への水の浸入防止構造。
【請求項４】
ノッチ部の側面には、ログ材を交差した上方及び下方のログ材のノッチ部の水抜き孔に上下方向に連通するように凹設された縦溝が設けられるとともに、
ノッチ部の上面に該縦溝の上端どうしを連通する横溝が形成され、
該横溝と連通溝が互いに連通するように交差して設けられたことを特徴とする請求項３記載のログハウスの室内への水の浸入防止構造。
【請求項５】
凹条部の凹底面には、上下に積み重ねた際の下段のログ材の凸条部の上端に当着又は突き刺さる突起部が設けられたことを特徴とする請求項３又は４記載のログハウスの室内への水の浸入防止構造。
【考案の詳細な説明】
【技術分野】
【０００１】
本考案は、ログハウスにおいてログ材どうしの隙間を介して室外側から室内側へ水が浸入するのを防止するログハウスの室内への水の浸入防止構造に関する。
【背景技術】
【０００２】
例えば、丸太組工法のログハウスでは、丸太や角材等の木材からなるログ材を、横方向に長手とした状態で上下に積み重ねて壁面を構築されるが、それらのログ材どうしの間には若干の隙間が生じることが多い。したがって、横風が強い雨天時や台風の際には、ログ材どうしの隙間を介して室外から室内へ雨水が浸入する問題がある。これに対し、従来、ログ材どうしの隙間から室内へ雨水が浸入するのを防止する技術が種々提案されている。例えば、特許文献１には、ログ材における、各ログ材の小口側端部からログ材同士の交差部までの間の所定位置には、多段に積み重ねられているうちのいずれかのログ材の上面から最下段のログ材の下面まで貫通しており、かつ、重なり合うログ材同士の間隙に浸入した水が下方へ抜けるように形成されている、排水孔が設けられたログハウスが提案されている。さらに、特許文献１のログハウスでは、積み重ねられたログ材どうしの嵌合する凸条と凹条との間に防水部材を介装する技術も開示されている。
【先行技術文献】
【特許文献】
【０００３】
【特許文献１】特許第５１６４９６３号公報
【考案の概要】
【考案が解決しようとする課題】
【０００４】
しかしながら、特許文献１のログハウスのような構造では、ログ材の木口側端部からログ材同士の交差部までの間の所定位置に排水孔が設けられる構成であるから、ログ材同士の交差部については排水構造が設けられておらず、該交差部の隙間を介して室外から室内側に浸入してくる水を有効に防止できないおそれがあった。また、例えば、仮にログ材同士の交差部に防水部材を設けて雨水の浸入を防止しようとする場合には、多数の防水部材を必要となるので部材点数が多くなり、コストが高くなるとともに、手作業等により防止部材を設置させる必要があるので工程が煩雑となるおそれがあった。
【０００５】
本考案は、上記従来の課題に鑑みてなされたものであり、その一つの目的は、ログハウスのログ材どうしの隙間を介して室外から室内へ水が浸入するのを、簡単な構造で、良好に防止できるログハウスの室内への水の浸入防止を提供することにある。
【課題を解決するための手段】
【０００６】
上記課題を解決するために本考案は、横長のログ材１２の長手方向の所定の中間位置に切欠き部２２が凹設されるとともに該切欠き部２２によりログ材本体２４の断面サイズよりも小さい断面形状となってログ材どうしの交差連結部１４を構成するノッチ部１６が形成され、ログ材１２どうしをノッチ部で互いに嵌合させて交差連結させながら上下に積み重ねて壁面を構成するログハウスの室内への水の浸入防止構造であり、ログ材１２どうしの交差連結部を構成する各ログ材１２のノッチ部１６を上下方向に貫通する水抜き孔１８と、該ノッチ部１６の上面１６ａに、ログ材１２の長手方向に沿って又は長手方向に交差した方向に長く凹設されて該水抜き孔１８に連通する連通溝２０と、を備えたログハウスの室内への水の浸入防止構造１０から構成される。
【０００７】
また、ノッチ部１６の水抜き孔１８は、ノッチ部１６とその両側のログ材本体３４とのそれぞれの接続部に形成され、連通溝２０は、ノッチ部１６の両側の水抜き孔１８どうしを連通するようにログ材１２の長手方向に沿って形成されたこととしてもよい。
【０００８】
また、ログ材本体２４は、上段側のログ材１２と係合する上部に長手方向に沿って長く設けられた２つの凸条部２６と、下段側のログ材１２と係合する下部に長手方向に沿って長く設けられ、下段側のログ材の凸条部２６に嵌合する２つの凹条部２８と、を有し、さらに、ログ材本体２４の凸条部２６どうし間に対応した位置となるログ材本体２４の切欠き部２２に臨む面側に、ノッチ部１６の水抜き孔１８に連通するように上下方向に凹設された凹溝部３２が形成されたこととしてもよい。
【０００９】
また、ノッチ部１６の側面１６ｂには、ログ材１２を交差した上方及び下方のログ材１２のノッチ部１６の水抜き孔１８に上下方向に連通するように凹設された縦溝３４が設けられるとともに、ノッチ部１６の上面に該縦溝３４の上端どうしを連通する横溝３８が形成され、該横溝３８と連通溝２０が互いに連通するように交差して設けられたこととしてもよい。
【００１０】
また、凹条部２８の凹底面２８ａには、上下に積み重ねた際の下段のログ材１２の凸条部２６の上端に当着又は突き刺さる突起部３０が設けられたこととしてもよい。
【考案の効果】
【００１１】
本考案のログハウスの室内への水の浸入防止構造によれば、横長のログ材の長手方向の所定の中間位置に切欠き部が凹設されるとともに該切欠き部によりログ材本体の断面サイズよりも小さい断面形状となってログ材どうしの交差連結部を構成するノッチ部が形成され、ログ材どうしをノッチ部で互いに嵌合させて交差連結させながら上下に積み重ねて壁面を構成するログハウスの室内への水の浸入防止構造であり、ログ材どうしの交差連結部を構成する各ログ材のノッチ部を上下方向に貫通する水抜き孔と、該ノッチ部の上面に、ログ材の長手方向に沿って又は長手方向に交差した方向に長く凹設されて該水抜き孔に連通する連通溝と、を備えたことから、ログ材どうしの交差連結部において、例えば、横風がある雨天時や台風の際に、交差連結部の隙間を介して水が室外側から浸入した際には、各ログ材のノッチ部の連通溝と水抜き孔とが協働して排水することができ、簡単な構造で該隙間から水が室内側へ浸入しようとするのを良好に防止することができる。
【００１２】
また、ノッチ部の水抜き孔は、ノッチ部とその両側のログ材本体とのそれぞれの接続部に形成され、連通溝は、ノッチ部の両側の水抜き孔どうしを連通するようにログ材の長手方向に沿って形成された構成とすることにより、より簡単な構造でより確実にログ材どうしの交差連結部において室外側から浸入した水を排水することができ、室内側へ水が浸入するのを良好に防止することができる。
【００１３】
また、ログ材本体は、上段側のログ材と係合する上部に長手方向に沿って長く設けられた２つの凸条部と、下段側のログ材と係合する下部に長手方向に沿って長く設けられ、下段側のログ材の凸条部に嵌合する２つの凹条部と、を有し、さらに、ログ材本体の凸条部どうし間に対応した位置となるログ材本体の切欠き部に臨む面側に、ノッチ部の水抜き孔に連通するように上下方向に凹設された凹溝部が形成された構成とすることにより、上下に積み重ねられるログ材どうしの隙間を介して室外側から水が浸入しようした際に、凸条部どうしの間から凹溝部を介して水抜き孔により効率良く排水することができ、水が室内側へ浸入しようとするのを良好に防止することができる。
【００１４】
また、ノッチ部の側面には、ログ材を交差した上方及び下方のログ材のノッチ部の水抜き孔に上下方向に連通するように凹設された縦溝が設けられるとともに、ノッチ部の上面に該縦溝の上端どうしを連通する横溝が形成され、該横溝と連通溝が互いに連通するように交差して設けられた構成とすることにより、ログ材どうしの該交差連結部において、水抜き孔と縦溝とにより上方から下方に連通する排水経路を簡単な構造で実現でき、効率的に排水することができ、水が室内側へ浸入しようとするのを良好に防止することができる。
【００１５】
また、凹条部の凹底面には、上下に積み重ねた際の下段のログ材の凸条部の上端に当着又は突き刺さる突起部が設けられた構成とすることにより、突起部により上下に積み重ねられたログ材どうしの隙間をより少なくして、ログ材どうしの間を介して室外側から室内側へ水が浸入しようとするのをより確実に防止することができる。
【図面の簡単な説明】
【００１６】
【図１】本考案の第１の実施形態に係るログハウスの室内への水の浸水防止構造の要部の一部切欠き斜視説明図である。
【図２】図１のログハウスのログ材どうしを組み付ける状態の斜視図である。
【図３】図１のログハウスの室内への水の浸水防止構造のログ材のノッチ部周辺の平面図である。
【図４】図３のログ材のノッチ部周辺の正面図である。
【図５】図４のログ材のＡ−Ａ線断面図である。
【図６】図４のログ材のＢ−Ｂ線断面図である。
【図７】図４のログ材のＣ−Ｃ線断面図である。
【図８】図１のログハウスの室内への水の浸水防止構造のログ材の交差連結部周辺の縦断面説明図である。
【図９】図１のログハウスの室内への水の浸水防止構造のノッチ部周辺の平面説明図である。
【図１０】図１のログハウスの室内への水の浸水防止構造のログ材のどうしの嵌合部周辺の拡大説明である。
【考案を実施するための形態】
【００１７】
以下、添付図面を参照しつつ本考案のログハウスの室内への水の浸入防止構造の実施の形態について説明する。本考案のログハウスの室内への水の浸入防止構造は、例えば、複数のログ材を上下に積み重ねて壁面を構築した際に、ログ材どうしの隙間を介して室外側から室内側へ水が浸入するのを防止するものである。図１ないし図７は、本考案に係るログハウスの室内への水の浸入防止構造の第１の実施形態を示している。本実施形態では、ログハウスの室内への水の浸入防止構造１０は、ログ材１２の交差連結部１４を構成するノッチ部１６に設けられた水抜き孔１８と、ノッチ部１６の上面に水抜き孔に連通するように設けられた連通溝２０と、を備えている。
【００１８】
本実施形態において、ログハウスは、例えば、丸太組工法で構築されているものを例に説明する。図１、図２に示すように、ログハウスは、横長のログ材１２どうしを互いに交差させながら上下に積み重ねて壁面を構成している。各ログ材１２は、長手方向の所定の中間位置に切欠き部２２が凹設されるとともに、該切欠き部２２による残りの部分がログ材本体２４の断面サイズよりも小さい断面サイズ形状となって括れた部分となるノッチ部１６が形成されている。ログ材１２のノッチ部１６は、複数のログ材１２を積み重ねて壁面を構築する際に、対外に交差するログ材１２どうしの交差連結部１４を構成しており、ログ材１２のノッチ部１６と組み付ける他のログ材の切欠き凹部とを嵌合させながら交差連結される。
【００１９】
本実施形態では、各ログ材１２は、図２、図３、図４、図７に示すように、断面が略縦長形状の横方向に長い木材からなる。より具体的には、ログ材１２は、断面が縦長矩形状で四隅を斜めに面取り状にカットした形状で、かつ上面側に２つの凸条部２６と下面側に２つの凹条部２８と、が形成されている。凸条部２６は、ログ材１２の長手方向に沿って長く形成されており、互いに所定の間隙をあけて平行に設けられている。凸条部２６の断面は、下方側が広く、上方側に向けて次第に狭い幅となるような略台形状に突設されている。凹条部２８は、ログ材１２どうしを上下に積み重ねる際に下段側のログ材の凸上部２６と嵌合する凹部である。すなわち、凹条部２８は、凸条部２６の形状に合わせて、ログ材１２の長手方向に沿って長く形成されて、互いに所定の間隙をあけて平行に設けられているとともに、凸条部２８の断面は、凸条部２６の断面形状に対応して、下方側が広く、上方側に向けて次第に狭い幅となるような略台形状に凹設されている。さらに、図１０に示すように、凹条部２８の凹底面２８ａには、下方向に頂点を向けて突出されるとともに、ログ材１２の長手方向に沿うように長く連続形成された突起部３０が設けられている。凹条部２８の突起部３０は、ログ材１２どうしを上下に積み重ねた際に、その先鋭状の先端が下段のログ材１２の凸条部２６の上端に当着又は突き刺さるようになっている。例えば、ログ材１２どうしを上下に積み重ねた際に、下段側のログ材１２Ｌの凸条部２６を、その上段側のログ材１２の凹条部２８に嵌合させるとともに、該上段側のログ材１２を下方に強く叩きこむことにより、凹条部２８の突起部３０を凸条部２６の上端に密着又は食い込み状に突き刺すとよい。これにより、上下に積み重なるログ材１２どうしの間隙、すなわち、上下のログ材の凸条部２６と凹条部２８との嵌合部分の間隙を、突起部３０によりより少なく又はほとんどなくすことができ、室外側から室内側へ雨水等の水が浸入するのを良好に防止することができる。
【００２０】
図３、図４、図５、図６に示すように、本実施形態では、各ログ材１２に設けられる切欠き部２２は、交差連結されるログ材を受け入れる凹部であり、該ログ材１２の上下に設けられ、横幅が交差するログ材の前後幅に対応した幅で形成されており、正面視で略矩形状に凹設されている。よって、ログ材１２の切欠き部２２の形成によって芯部として残るノッチ部１６は、該ログ材本体の縦幅よりも小さくなるサイズで断面矩形状に設けられ、ログ材本体２４より上下がくびれた部分となっていると同時に、該ノッチ部１６の上面及び下面は水平状の平面で形成されている。さらに、ノッチ部１６は、平面視でログ材本体２４の前後厚み幅よりも小さいサイズで設けられているとともに、その前後側面は、鉛直状の平面で形成されている。上述のように、ログ材１２どうしは、ノッチ部１６によって交差連結部１４を構成しており、互いに交差するログ材１２は、ノッチ部１４と切欠き部２２を嵌合させることにより、互いに直交するように組み付けられる。よって、ログ材１２は、ノッチ部による交差連結部１４により長手方向が直交する方向に向けて交互に配置しながら、同じ長手方向のものどうしを上下に積み重ねられていくことで、互いに直交する壁面が構築される。なお、ログ材の形状は、上記したものに限らず、例えば、楕円状や正方形状等、その他任意の形状でもよい。また、切欠き部２２は、ログ材の上側のみ、又は下側のみに設ける構成としてもよく、その形状もログ材の外形形状に合わせて嵌合する対応で形成されるとよい。また、ノッチ部１６の形状もログ材や切欠き部２２に応じて形成することとしてもよい。
【００２１】
本実施形態では、交差連結部１４を構成するログ材１２のノッチ部１４に、上下に貫通する水抜き孔１８が設けられている。図３に示すように、水抜き孔１８は、例えば、ノッチ部１４の両端側、すなわち、ノッチ部１４とログ材本体２４との接続部にそれぞれに形成されている。同時に、水抜き孔１８は、ログ材本体２４側に設けられる後述の凹溝部３２と連通するように設けられている。水抜き孔１８と凹溝部３２とは、平面視でそれらを合わせて略円形状に設けられており、水抜き孔１８は、ノッチ部１４の端部で半円筒状に穿孔されている。水抜き孔１８は、例えば、ノッチ部１４の前後幅の略中央位置に設けられており、平面視でログ材本体２４の２つの凸条部２６の間に対応する位置に設けられている。
【００２２】
図３、図５、図６に示すように、各ログ材１２のノッチ部１４の上部の切欠き部２２に臨む上面１６ａには、水抜き孔１８に連通する連通溝２０が設けられている。本実施形態では、連通溝２０は、例えば、ログ材１２の長手方向に沿う方向に長く凹設されており、該連通溝２０の両端部を水抜き孔１８に連通させている。すなわち、連通溝２０は、ノッチ部１４の両側の水抜き孔１８どうしを連通するようにログ材の長手方向に沿って直線状に形成されている。よって、一つのログ材のノッチ部の連通溝２０は、上部側の切欠き凹部の前後幅への貫通方向に対して交差した方向に形成されることとなる。したがって、図１、図９にも示すように、ログ材どうしを交差して組み付けた際に、交差連結部１４を構成するノッチ部１６の上面側においては、室外側から室内外へ水ｗが浸入しようとする際には必ず連通溝２０に交差することから、該浸入しようとする水ｗを連通溝２０内へ流し、該連通溝から水抜き孔１８へ排水することができ、室内側への水ｗの浸入を良好に防止することができる。
【００２３】
本実施形態では、ログ材本体２４の凸条部２６どうし間に対応した位置であって、ノッチ部との接続部側、すなわちログ材本体１４の切欠き部２２に臨む面側には、ノッチ部の水抜き孔に連通するように上下方向に凹設された凹溝部３２が形成されている。凹溝部３２は、ノッチ部１４との接続部側（切欠き部２２側）において上から下まで連続して形成されており、ノッチ部との接続部分では、水抜き孔１８とともに貫通孔を形成している。これにより、同じ方向のログ材１２どうしを上下に積み重ねた際に、突起部３０と凸条部２６との係着部分を超えて室外側から室内側に向けて水が浸入しようとする際には、凸条部２６どうしの間で水を止めるとともに、該凸条部どうしの間から凹溝部３２を介して下方に排水することができる。その結果、良好にログハウスの室内側への水の浸入を防止できる。
【００２４】
図４、図６に示すように、ログ材１２のノッチ部１６の前後のそれぞれ側面１６ｂには、上下方向に沿って長く凹設された縦溝３４が設けられている。ノッチ部１６の縦溝３４は、ログ材１２どうしを交差連結した際に、交差する上方のログ材、及び下方のログ材のノッチ部１６の水抜き孔１８に上下方向に連通するように設けられている。さらに本実施形態では、縦溝２４は、ログ材本体２４の凹溝部３２とともに、上下連通する孔貫通状の経路を形成する。したがって、ログ材どうしを交互に交差しながら上下に積み重ねた際に、交差連結部１４では、水抜き孔１８、凹溝部３２、縦溝３４によって、積み重ねた複数のログ材の上から下まで連続した排水経路３６が構成されることとなる。さらに、ノッチ部１６の前後側面１６ｂにそれぞれ形成される縦溝３４の上端どうしは、ノッチ部１６の上面１２ａに形成された横溝３８によって連通接続されている。また、縦溝３４の下端どうしは、ノッチ部１６の下面で凹設された下横溝によって連通接続されている。ノッチ部１６の上面１６ａの横溝３８は、連通溝２０と直交状に交差して互いに連通するようになっている。これにより、ノッチ部１６の上面側では、連通溝２０と横溝３８を介して、水抜き孔１８又は縦溝３４を介して下方へ効率良く排水することができるので、ログ材どうしの交差連結部１４において、より確実に室外側から室内側への水の浸入防止を図ることができる。なお、例えば、ノッチ部１６の前後側面１６ｂ寄り側の位置に、縦溝３４に代えて上下に貫通する水抜き孔を形成することとしてもよい。この場合、横溝３８が連通溝として機能し、ログ材の長手方向に交差する方向に連通溝が形成されることとなる。
【００２５】
上述のように、ログ材どうしの交差連結部１４を構成するノッチ部１６に水抜き孔１８、連通溝２０、縦溝３６、横溝３８を設けるとともに、ログ材本体２４にも水抜き孔１８に連通する凹溝部３２を設けたことから、これらが互いに協働して、組み付けた複数のログ材１２どうしの交差連結部１４における排水構造を構成しているといえる。
【００２６】
次に、本実施形態に係るログハウスの室内への水の浸入防止構造１０の作用について説明する。図２に示すように、複数のログ材１２どうしを互いに交差させるとともに、長手方向が同じ方向で積み重ねられるログ材どうしは、凸条部２６と凹条部２８を嵌合させて、上下に積み重ねて壁面を構築していく。この際、例えば、積み重ねる上側のログ材を強く叩くか押圧して下側のログ材との嵌合を確実にするとともに、凹条部２８の突起部３０を凸条部２６の上端に当着又は突き刺して係着させる。構築されたログハウスでは、各ログ材どうしの交差連結部１４においては、図１、図９に示すように、例えば、台風の際にログ材どうしの隙間を介して室外側から室内側に浸入しようとする水ｗは、ノッチ部１６上面側で連通溝２０や横溝３８で捕集されて水抜き孔１８又は縦溝３４により下方に排水される。同時に、積み重ねられたログ材どうしの交差連結部では、上方から下方に水抜き孔１８と凹溝部３２と縦溝３４とにより連続した排水経路３６によって、最下段まで効率的に排水される。これにより、ログ材どうし交差連結部１４の隙間を介して室外側から室内側に水が浸入するのを確実に防止することができる。また、図１０に示すように、ログハウスの壁面では、ログ材１２の凹条部２８の突起部３０と凸条部２６との係着により、隙間自体を小さく又はほとんど無くすことができ、水の浸入をより効果的に阻止することができる。すなわち、ログハウスにおいて、上下に積み重ねられるログ材どうしが構成される壁面や交差連結部から水が室外側から室内側へ浸入するのを良好に防止することができる。
【００２７】
以上説明した本考案のログハウスは、上記した実施形態のみの構成に限定されるものではなく、実用新案登録請求の範囲に記載した本考案の本質を逸脱しない範囲において、任意の改変を行ってもよい。
【産業上の利用可能性】
【００２８】
本考案のログハウスの室内への水の浸入防止構造は、種々のログハウスに好適に利用できる。
【符号の説明】
【００２９】
１０    ログハウスの室内への水の浸入防止構造
１２    ログ材
１４    交差連結部
１６    ノッチ部
１８    水抜き孔
２０    連通溝
２２    切欠き部
２４    ログ材本体
２６    凸条部
２８    凹条部
３０    突起部
３２    凹溝部
３４    縦溝
３８    横溝
【図１】
0003215048.tif 000003
【図２】
0003215048.tif 000004
【図３】
0003215048.tif 000005
【図４】
0003215048.tif 000006
【図５】
0003215048.tif 000007
【図６】
0003215048.tif 000008
【図７】
0003215048.tif 000009
【図８】
0003215048.tif 000010
【図９】
0003215048.tif 000011
【図１０】
0003215048.tif 000012